(57)【特許請求の範囲】
【請求項１】
圧縮特性の直線性をＬＣ、圧縮レジリエンスをＲＣとし、圧縮仕事量をＷＣとした場合に、ＬＣ≦１かつＲＣ≧８０かつＷＣ≧６を満たすウレタン材料によって構成されているパッド用素材。
【請求項２】
圧縮特性の直線性をＬＣ、圧縮レジリエンスをＲＣとし、圧縮仕事量をＷＣとした場合に、ＬＣ≦１かつＲＣ≧８０かつＷＣ≧６を満たすウレタン材料によって構成されているカップ部用素材。
【請求項３】
着用者のバストを覆う形状に形成された左右一対のカップ部を備え、
前記カップ部の少なくとも下カップ部に、請求項１記載のパッド用素材によって構成されたパッドが配置されたカップ部付き衣類。
【請求項４】
着用者のバストを覆う形状に形成された左右一対のカップ部を備え、
前記カップ部の少なくとも下カップ部に、請求項２記載のカップ部用素材が配置されたカップ部付き衣類。
【発明の詳細な説明】
【技術分野】
【０００１】
本発明は、パッド用素材、カップ部用素材、及びカップ部付き衣類に関する。
【背景技術】
【０００２】
ブラジャーに代表されるカップ部付き衣類は、例えばバストを覆うためのカップ部、カップ部の下縁部を支持する土台部、土台部から背面側に延びるバック部、及びカップ部に連結されるストラップ部などを備えて構成されている。このようなカップ部付き衣類の主たる機能の一つとしては、バストの造形性が挙げられる。例えば特許文献１に記載のブラジャーでは、カップ本体と、カップ本体の表面を覆うカバーとによってカップ部を構成し、厚手の生地片同士を縦方向の縫い目によって縫い合わせてカップ形状を形成すると共に、カバーの下側縁をカップ本体の下縁に縫着している。
【０００３】
一方で、カップ部付き衣類の着け心地に対するニーズも非常に高いものとなっている。出願人が１６歳〜６４歳までの消費者５００人に対して使用頻度の高いブラジャーについて調査を行ったところ、着け心地の良さを重視すると回答した消費者の割合が６割近くに達するという結果が得られている。体へのフィット感や快適性など、着け心地の良さと関連した項目を重視すると回答した消費者も多く、バストの造形性のみならず、着け心地が重視されている傾向が読み取れる。
【先行技術文献】
【特許文献】
【０００４】
【特許文献１】特開２００２−２２０７０５号公報
【発明の概要】
【発明が解決しようとする課題】
【０００５】
図１０は、カップ部付き衣類の既存商品の着用感の強さと造形性の関係を示す図である。同図では、横軸を着用感の強さ、縦軸を造形性（カップ圧）とし、既存商品Ａ〜Ｉにおける着用感の強さと造形性の関係をプロットしたものである。この図１０に示すように、既存商品Ａ〜Ｉでは、着用感の強さと造形性とは概ね比例関係にある。すなわち、造形性の高いカップ部付き衣類は着用感が強く、造形性の低いカップ部付き衣類は着用感が弱い、という傾向がある。バストの造形性と着け心地とを両立させるには、図１０におけるＸ領域に属するカップ部付き衣類を開発していく必要がある。
【０００６】
バストの造形性と着け心地とを両立させるため、出願人は、鋭意研究を行う過程で、カップ部付き衣類の既存商品の着圧分析を実施した。この着圧分析では、図１１（ａ）に示すように、ダミー人形のバスト部分において、バージスライン中心部分（点Ａ）、バスト下部（点Ｂ〜点Ｄ）、バスト中央部の両脇（点Ｅ，点Ｆ）、バスト上部（点Ｇ，点Ｈ）の計８点につき、着圧の測定を行った。
【０００７】
図１１（ｂ）は、着圧分析の結果を示す図である。同図に示すように、バスト上部（点Ｇ，点Ｈ）の着圧の平均が約０．３５ｋＰａであったのに対し、バスト下部（点Ｂ〜点Ｄ）の着圧の平均は約１．３ｋＰａとなっている。この結果から、カップ部付き衣類の下カップ部からバスト下部にかかる着圧は、上カップ部からバスト上部にかかる着圧の４倍近くに達していることが分かる。そこで、出願人は、下カップ部からバスト下部にかかる着圧を抑え、バストにかかる着圧の総量を効果的に低減することができれば、バストの造形性と着け心地とを両立できるという知見を得て、本発明を完成するに至った。
【０００８】
本発明は、上記課題の解決のためになされたものであり、バストの造形性と着け心地とを両立できるパッド用素材、カップ部付き衣類用素材、及びカップ部付き衣類を提供することを目的とする。
【課題を解決するための手段】
【０００９】
上記課題の解決のため、本発明の一側面に係るパッド用素材は、圧縮特性の直線性をＬＣ、圧縮レジリエンスをＲＣとした場合に、ＬＣ≦１かつＲＣ≧８０を満たすウレタン材料によって構成されている。
【００１０】
このパッド用素材では、上記圧縮特性を満足するウレタン材料を用いることにより、圧縮荷重が付加されたときの圧縮容易性と、圧縮荷重が開放された場合の回復性との両方が確保される。したがって、このパッド用素材によって構成されたパッドを少なくとも下カップ部に配置したカップ部付き衣類では、下カップ部からバスト下部にかかる着圧が抑えられ、バストにかかる着圧の総量を効果的に低減することが可能となる。また、パッドの圧縮容易性と回復性とを確保することで、カップ部の柔軟性、軽量感、及びふんわり感が高められ、バストの造形性と着け心地とを両立できる。
【００１１】
また、パッド用素材は、圧縮仕事量をＷＣとした場合に、ＷＣ≧６を満たしていてもよい。この場合、圧縮荷重が付加されたときの圧縮容易性が更に向上し、下カップ部からバスト下部にかかる着圧を一層好適に抑えられる。
【００１２】
また、本発明の一側面に係るカップ部用素材は、圧縮特性の直線性をＬＣ、圧縮レジリエンスをＲＣとした場合に、ＬＣ≦１かつＲＣ≧８０を満たすウレタンによって構成されている。
【００１３】
このカップ部用素材では、上記圧縮特性を満足するウレタン材料を用いることにより、圧縮荷重が付加されたときの圧縮容易性と、圧縮荷重が開放された場合の回復性との両方が確保される。したがって、このカップ部用素材を少なくとも下カップ部に配置したカップ部付き衣類では、下カップ部からバスト下部にかかる着圧が抑えられ、バストにかかる着圧の総量を効果的に低減することが可能となる。また、パッドの圧縮容易性と回復性とを確保することで、カップ部の柔軟性、軽量感、及びふんわり感が高められ、バストの造形性と着け心地とを両立できる。
【００１４】
また、カップ部用素材は、圧縮仕事量をＷＣとした場合に、ＷＣ≧６を満たしていてもよい。この場合、圧縮荷重が付加されたときの圧縮容易性が更に向上し、下カップ部からバスト下部にかかる着圧を一層好適に抑えられる。
【００１５】
また、本発明の一側面に係るカップ部付き衣類は、着用者のバストを覆う形状に形成された左右一対のカップ部を備え、カップ部の少なくとも下カップ部に、上記パッド用素材によって構成されたパッドが配置されている。
【００１６】
このカップ部付き衣類では、上記パッド用素材を用いることにより、下カップ部からバスト下部にかかる着圧が抑えられ、バストにかかる着圧の総量を効果的に低減することが可能となる。また、カップ部の柔軟性、軽量感、及びふんわり感が高められ、バストの造形性と着け心地とを両立できる。
【００１７】
また、本発明の一側面に係るカップ部付き衣類は、着用者のバストを覆う形状に形成された左右一対のカップ部を備え、カップ部の少なくとも下カップ部に、上記カップ部用素材が配置されている。
【００１８】
このカップ部付き衣類では、上記カップ部用素材を用いることにより、下カップ部からバスト下部にかかる着圧が抑えられ、バストにかかる着圧の総量を効果的に低減することが可能となる。また、カップ部の柔軟性、軽量感、及びふんわり感が高められ、バストの造形性と着け心地とを両立できる。
【発明の効果】
【００１９】
本発明によれば、バストの造形性と着け心地とを両立できる。
【図面の簡単な説明】
【００２０】
【図１】本発明の一実施形態に係るパッド用素材を用いて構成されたカップ部付き衣類を示す正面図である。
【図２】図１に示したカップ部付き衣類のカップ部を背面側から示す要部拡大図である。
【図３】図２に示したカップ部に適用されるパッドの一例を示す斜視図である。
【図４】パッド用素材の圧縮特性を示す図である。
【図５】実施例及び比較例に係るパッド用素材の特性値の一例を示す図である。
【図６】実施例に係るパッド用素材と比較例に係るパッド用素材との圧縮特性の違いを概略的に示す図である。
【図７】パッド用素材を適用したカップ部の着圧の分析結果を示す図である。
【図８】パッド用素材を適用したカップ部のモニター試験結果を示す図である。
【図９】本発明の一実施形態に係るカップ部用素材を用いて構成されたカップ部付き衣類のカップ部を背面側から示す要部拡大図である。
【図１０】カップ部付き衣類の既存商品における着用感の強さと造形性との関係を示す図である。
【図１１】カップ部付き衣類の既存商品における着圧分析を示す図であり、（ａ）は着圧の測定位置、（ｂ）は分析結果である。
【発明を実施するための形態】
【００２１】
以下、図面を参照しながら、本発明に係るカップ部用素材及びカップ部付き衣類の好適な実施形態について詳細に説明する。
【００２２】
図１は、本発明の一実施形態に係るカップ部用素材を用いて構成されたカップ部付き衣類を示す正面図である。同図に示すように、カップ部付き衣類１は、例えば女性用のブラジャーとして構成されている。このカップ部付き衣類１は、左右一対のカップ部２と、カップ部２の下縁側を支持する土台部３と、土台部３の両脇からそれぞれ延びて背面側に至るバック部４と、カップ部２とバック部４とをつなぐストラップ部５とによって構成されている。
【００２３】
カップ部２は、例えば不織布や発泡ポリウレタンといった一定の保形性及び弾力性を有する素材によって形成され、人体のバストの形状に対応させた椀形状となっている。カップ部２の上縁部２ａは、例えばバストの上部に沿うように略中央部分で上向きに凸となるように湾曲している。また、カップ部２の脇縁部２ｂは、腕の動きを阻害することが無いように中心側に向かって緩やかな凹状に湾曲しており、カップ部２の下縁部２ｃは、バストのバージスラインに合うように下向きに凸となるように湾曲している。
【００２４】
また、カップ部２の下縁部２ｃ側には、ワイヤ部６が設けられている。ワイヤ部６は、例えば芯材となるワイヤ部材をバイアステープ内に封入することによって構成されている。ワイヤ部材としては、例えば金属やプラスチック等が用いられ、バイアステープとしては、織物や編物などの柔らかい素材が用いられる。
【００２５】
土台部３は、例えばベア天竺等の伸縮性（特に左右方向の伸縮性）を有する織物や編物等の素材で形成された表布にマーキゼット等の非（難）伸縮性の素材を裏打し、全体として非（難）伸縮性を有している。土台部３の上辺部３ａは、カップ部２の下縁部２ｃに沿うように凹状に湾曲しており、カップ部２の下縁部２ｃに縫着されている。土台部３の下辺部３ｂには、伸縮性及び復元性を高める目的で、長手方向に特に伸縮性の高い素材からなる始末部を設けてもよい。始末部に用いる素材としては、例えばストレッチテープなどが挙げられる。
【００２６】
バック部４は、例えばパワーネットなどの伸縮性を有する素材によって形成されている。バック部４の基端側は、土台部３の脇部から連続し、背面側に向かって帯状に延びている。バック部４における背側の端部には、ホック７が設けられている。このホック７により、左右のバック部４が互いに係脱自在となっている。
【００２７】
ストラップ部５は、例えば織物のような布地を紐状に成形、縫製して形成されている。ストラップ部５に用いられる織物等の素材は、長手方向に伸縮性を有していることが好適である。ストラップ部５は、カップ部２とバック部４との間に掛け渡され、いわゆる肩紐を構成している。ストラップ部５の一端は、カップ部２の脇側上縁に連結され、ストラップ部５の他端は、バック部４の上縁部に連結されている。
【００２８】
次に、上述したカップ部２の構成について更に詳細に説明する。
【００２９】
図２は、カップ部２を背面側から示す要部拡大図である。同図に示すように、カップ部２の肌側には、パッド１１を着脱自在に装着するためのポケット１２が設けられている。ポケット１２は、例えばトリコット等の肌触りの良い生地をカップ部２の肌側に縫着することによって形成されている。
【００３０】
本実施形態のポケット１２は、カップ部２の下側（下カップ部）に対応して設けられており、土台部３の上辺部３ａに沿う下縁部１２ａと、下縁部１２ａの前中心Ａ側の端部からカップ部２の上縁部２ａよりも下方側に延在して脇縁部２ｂに向かう上縁部１２ｂと、下縁部１２ａの脇側と上縁部１２ｂの脇側とを直線状に結ぶ脇縁部１２ｃとを有している。下縁部１２ａは、土台部３の上辺部３ａに縫着され、上縁部１２ｂは、カップ部２における上縁部２ａの下側の位置に縫着されている。脇縁部１２ｃは、非縫着状態となっており、カップ部２の脇側からパッド１１を着脱できるようになっている。
【００３１】
パッド１１は、図３に示すように、略楕円形状の本体部１３を有している。本体部１３の長軸方向の両端部は、先細り形状（嘴形状）となっている。この本体部１３は、弾力性の芯材を天竺やフライス等の肌触りの良い薄手の生地で包み込むことによって構成されている。本体部１３の厚さは、必要とされるバストの造形性に応じて適宜設計される。
【００３２】
本体部１３に用いる芯材は、パッド用素材１４によって形成されている。パッド用素材１４は、例えば発泡性のウレタン材料によって形成されている。図４は、パッド用素材の圧縮特性を示す図である。同図に示すように、パッド用素材の圧縮特性は、厚さと圧力との関係によって示される。
【００３３】
パッド用素材の特性値として、ここでは、圧縮特性の直線性ＬＣ、圧縮仕事量（１ｃｍ２当たりの圧縮エネルギー）ＷＣ、圧縮レジリエンスＲＣが挙げられる。圧縮特性の直線性ＬＣは、圧縮初期の圧縮容易性を示すパラメータであり、値が小さいほど圧縮初期に圧縮し易い素材である。圧縮仕事量は、全体的な圧縮容易性を示すパラメータであり、値が大きいほど圧縮し易い素材である。圧縮レジリエンスは、圧縮後の回復性を示すパラメータであり、値が大きいほど形状が回復し易い素材である。その他のパラメータとしては、圧力Ｐ０（＝０．５ｇｆ／ｃｍ２）付加時の厚さＴ０、圧力Ｐｍ（＝５０ｇｆ／ｃｍ２）付加時の厚さＴｍが挙げられる。
【００３４】
圧縮特性の直線性ＬＣは、下記式（１）で表される。
【数１】
0006488619.tif 000002
圧縮仕事量ＷＣは、下記式（２）で表される。
【数２】
0006488619.tif 000003
圧縮レジリエンスＲＣは、下記式（３）で表される。
【数３】
0006488619.tif 000004
【００３５】
本実施形態のパッド用素材１４を構成するウレタン材料の特性値は、圧縮特性の直線性ＬＣ≦１かつ圧縮レジリエンスＲＣ≧８０を満たしている。また、圧縮仕事量ＷＣ≧６を満たしている。ウレタン材料の各特性値は、例えばカトーテック株式会社製の自動化圧縮試験機（ＫＥＳＦＢ３−ＡＵＴＯ−Ａ）を用いて測定できる。パッド用素材１４を構成するウレタン材料の通気性は、ＪＩＳ  Ｌ−１０９６に基づくＡ法（フラジール法）で測定した場合に２５０ｃｍ３／ｃｍ２・ｓｅｃ以上であることが好ましい。また、パッド用素材１４を構成するウレタン材料の吸水性は、ＪＩＳ  Ｌ１９０７に基づく滴下法で測定した場合に５秒以下であることが好ましい。
【００３６】
本実施形態のパッド用素材１４を構成するウレタン材料は、例えばポリオールとイソシアネート（無黄変イソシアネート）を反応・硬化させることによって得られる。ウレタン材料の密度（フォーム比重）は、３５ｋｇ／ｍ３のものと４５ｋｇ／ｍ３のものとを使用した。
【００３７】
続いて、パッド用素材１４の作用効果について説明する。
【００３８】
図５は、実施例及び比較例に係るパッド用素材の特性値の一例を示す図である。同図に示すように、実施例１〜３はいずれも、ＬＣ≦１かつＲＣ≧８０、及びＷＣ≦６を満たすウレタン材料である。実施例３は、このウレタン材料に、例えば天竺、フライス、トリコットなどの編物や織物からなる生地をラミネートしたものである。
【００３９】
実施例１の特性値は、ＬＣ＝０．６１８、ＷＣ＝６．０４５（ｇｆ／ｃｍ２）、ＲＣ＝８７．７７（％）、Ｔ０＝４．８５３（ｍｍ）、ＴＭ＝０．９４１（ｍｍ）となっている。実施例２の特性値は、ＬＣ＝０．６９５、ＷＣ＝１１．８５０（ｇｆ／ｃｍ２）、ＲＣ＝８９．９７（％）、Ｔ０＝８．２３０（ｍｍ）、ＴＭ＝１．４０９（ｍｍ）となっている。実施例３の特性値は、ＬＣ＝０．８４４、ＷＣ＝１３．７３８（ｇｆ／ｃｍ２）、ＲＣ＝８３．５４（％）、Ｔ０＝８．４５０（ｍｍ）、ＴＭ＝１．９４３（ｍｍ）となっている。
【００４０】
比較例１，２は、ＬＣ＞１かつＲＣ＜８０であり、さらにＷＣ＞６である従来の材料である。比較例１は、ウレタン材料であり、比較例２は、不織布に、例えば天竺、フライス、トリコットなどの編物や織物からなる生地をラミネートしたものである。比較例１の特性値は、ＬＣ＝１．８２０、ＷＣ＝８．７１９（ｇｆ／ｃｍ２）、ＲＣ＝４９．２４（％）、Ｔ０＝５．３５２（ｍｍ）、ＴＭ＝３．４３４（ｍｍ）となっている。比較例２の特性値は、ＬＣ＝１．０５４、ＷＣ＝１．７７５（ｇｆ／ｃｍ２）、ＲＣ＝７７．０２（％）、Ｔ０＝５．１８２（ｍｍ）、ＴＭ＝４．５０８（ｍｍ）となっている。
【００４１】
図６は、実施例に係るパッド用素材と比較例に係るパッド用素材との圧縮特性の違いを概略的に示す図である。同図に示す例では、比較例１の圧縮特性をＸ１で示し、比較例２の圧縮特性をＸ２で示している。また、実施例１〜３の圧縮特性をＹで示している。
【００４２】
これらの圧縮特性を分析すると、比較例１の従来のウレタン材料では、全体的な圧縮容易性が比較的高いものの、初期圧縮に対する圧縮容易性及び圧縮後の回復性がいずれも低い傾向があることが分かる。また、比較例２の不織布では、比較例１に比べて初期圧縮に対する圧縮容易性及び圧縮後の回復性が高いものの、全体的な圧縮容易性が低い傾向があることが分かる。これに対し、実施例１〜３のウレタン材料では、初期圧縮に対する圧縮容易性が比較例１，２に対して十分に高く、全体的な圧縮容易性が比較例１と同等又はそれ以上であり、圧縮後の回復性が比較例２と同等以上であった。
【００４３】
以上説明したように、パッド用素材１４では、ＬＣ≦１かつＲＣ≧８０を満足するウレタン材料が用いられることにより、圧縮荷重が付加されたときの圧縮容易性と、圧縮荷重が開放された場合の回復性との両方が確保される。したがって、パッド用素材１４によって構成されたパッド１１を少なくとも下カップ部に配置したカップ部付き衣類１では、下カップ部からバスト下部にかかる着圧が抑えられ、バストにかかる着圧の総量を効果的に低減することが可能となる。また、パッド１１の圧縮容易性と回復性とを確保することで、カップ部２の柔軟性、軽量感、及びふんわり感が高められ、バストの造形性と着け心地とを両立できる。さらに、パッド用素材１４では、ＷＣ≧６を更に満足するウレタン材料が用いられている。このため、圧縮荷重が付加されたときの圧縮容易性が更に向上し、下カップ部からバスト下部にかかる着圧を一層好適に抑えられる。
【００４４】
図７は、カップ部用素材を適用したカップ部の着圧の分析結果を示す図である。同図に示す分析は、カップ部全体を不織布で形成したサンプルＡ、上カップ部をパッド用素材１４と同等の素材で形成し、かつ下カップ部を不織布で形成したサンプルＢ、上カップ部を不織布で形成し、かつ下カップ部をパッド用素材１４と同等の素材で形成したサンプルＣ、及びカップ部全体をパッド用素材１４と同等の素材で形成したサンプルＤのそれぞれにつき、下カップ部からバストにかかる着圧を測定したものである。
【００４５】
着圧測定の結果、図７に示すように、サンプルＡ及びサンプルＢの場合では、下カップ部からバストにかかる着圧（図１１（ａ）における点Ｂ、点Ｃ、点Ｄの着圧の合計値）が５．５ｋＰａ以上となったのに対し、サンプルＣ及びサンプルＤの場合では、下カップ部からバストにかかる着圧（図１１（ａ）における点Ｂ、点Ｃ、点Ｄの着圧の合計値）が３．０ｋＰａ以下となった。したがって、本発明に係るカップ部用素材を少なくとも下カップ部に適用することにより、下カップ部からバスト下部にかかる着圧が半分程度に抑えられ、バストにかかる着圧の総量を効果的に低減することができる、と結論付けられた。
【００４６】
さらに、図８は、カップ部用素材を適用したカップ部のモニター試験結果を示す図である。同図に示すモニター試験は、図７に示したサンプルＡ〜サンプルＤのそれぞれにつき、複数のモニターにカップ部付き衣類の主観的な着け心地を評価させたものである。着け心地の評価項目は、柔軟性、軽量感、及びふんわり感の３項目とした。そして、各項目を５段階評価（＋２、＋１、０、−１、−２）とし、各モニターの回答の平均値を主観値とした。主観値が大きいほど（＋側になるほど）、柔らかく、軽く、ふんわりした着用感であることを示し、主観値が小さいほど（−側になるほど）、硬く、重く、ごつごつした着用感であることを示す。
【００４７】
その結果、サンプルＡ及びサンプルＢでは、３項目の全てにおいて主観値が負の値となったが、サンプルＣ及びサンプルＤでは、３項目の全てにおいて主観値が正の値となった。つまり、本発明に係るカップ部用素材を下カップ部に適用していないサンプルＡ及びサンプルＢと、本発明に係るカップ部用素材を少なくとも下カップ部に適用したサンプルＣ及びサンプルＤとでは、着け心地の評価に有意な差があることが認められた。
【００４８】
本発明は、上記実施形態に限られるものではない。例えば上述した実施形態では、パッド用素材１４を用いてパッド１１を形成し、パッド１１をカップ部２のポケット１２に適用するタイプのカップ部２を示したが、図９に示すように、パッド用素材１４と同等の圧縮特性を有するカップ部用素材２４を内部に配置してなるパッド付き肌側布２２によってカップ部２を構成してもよい。
【００４９】
この形態では、パッド付き肌側布２２は、土台部３の上辺部３ａに沿う下縁部２２ａと、下縁部２２ａの前中心Ａ側の端部からカップ部２の上縁部２ａよりも下方側に延在して脇縁部２ｂに向かう上縁部２２ｂと、カップ部２の脇縁部２ｂに沿う脇縁部２２ｃとを有している。パッド付き肌側布２２は、図３に示したパッド１１と略同形状となるようにカップ部用素材２４を内蔵しており、カップ部用素材２４が下カップ部に位置するようにカップ部２の肌側に配置されている。下縁部２２ａは、上辺部３ａに縫着され、上縁部２２ｂは、カップ部２における上縁部２ａの下側の位置に縫着され、脇縁部２２ｃは、カップ部２の脇縁部２ｂに縫着されている。
【００５０】
このような形態においても、上記実施形態と同様、下カップ部からバスト下部にかかる着圧が抑えられ、バストにかかる着圧の総量を効果的に低減することが可能となる。また、カップ部２の柔軟性、軽量感、及びふんわり感が高められ、バストの造形性と着け心地とを両立できる。
【００５１】
また、例えば上記実施形態では、カップ部付き衣類としてブラジャーを例示したが、本発明を適用するカップ部付き衣類としては、ブラジャーの他に、ブラスリップ、ブラキャミソール、ボディスーツなどのファンデーション衣類、水着、レオタードなどが挙げられる。また、本発明の特徴は、フルカップブラジャー、３／４カップブラジャー、及び１／２カップブラジャーといった全てのタイプのブラジャーに適用可能である。カップ部の縫製は、１ダーツ接ぎ、２ダーツ接ぎ、２枚接ぎ、３枚接ぎ、ギャザーのみ、無縫製（成形カップ）など、種々の形態を採り得る。
【符号の説明】
【００５２】
１…カップ部付き衣類、２…カップ部、１１…パッド、１４…パッド用素材、２４…カップ部用素材。
【図１】
0006488619.tif 000005
【図２】
0006488619.tif 000006
【図３】
0006488619.tif 000007
【図４】
0006488619.tif 000008
【図５】
0006488619.tif 000009
【図６】
0006488619.tif 000010
【図７】
0006488619.tif 000011
【図８】
0006488619.tif 000012
【図９】
0006488619.tif 000013
【図１０】
0006488619.tif 000014
【図１１】
0006488619.tif 000015